(57)【要約】  本発明の目的は、不快な相手との乗り合わせをより確実に防ぐことができるエレベータの群管理装置（１１）およびエレベータシステム（１）を提供することである。エレベータシステムは（１）は、群管理装置（１１）を備える。群管理装置（１１）は、利用者の属性と、スケジュールと、に基づいて当該利用者の呼びを複数のかご（５）のいずれかに割り当てる。スケジュールは、複数のかご（５）のいずれかに適用可能である。スケジュールは、適用されるかご（５）への呼びの割当が可能な属性の指定を、予め定められた時刻によって切り替える。
2019234849.tif 000002
【特許請求の範囲】
【請求項１】
複数のかごのいずれかに適用可能であり適用されるかごへの呼びの割当が可能な属性の指定を予め定められた時刻によって切り替える複数のスケジュールを記憶するスケジュール記憶部と、
読取装置が読み取る識別情報に関連付けられる１つ以上の属性と前記スケジュールとに基づいて当該識別情報によって識別される利用者の呼びを前記複数のかごのいずれかに割り当てる割当部と、
を備えるエレベータの群管理装置。
【請求項２】
前記複数のかごのいずれかに適用されているスケジュールにおいて単一の属性が指定されているときに、前記割当部は、当該単一の属性と前記読取装置が読み取った識別情報に関連付けられる１つ以上の属性のいずれかとが一致する場合に、当該識別情報によって識別される利用者の呼びを当該スケジュールが適用されるかごである専用割当かごに割り当てる請求項１に記載のエレベータの群管理装置。
【請求項３】
前記複数のかごのいずれにも適用されていないスケジュールにおいて単一の属性が指定されているときに、前記割当部は、当該単一の属性と前記読取装置が読み取った識別情報に関連付けられる１つ以上の属性のいずれかである割当属性とが一致する場合に、当該スケジュールを前記複数のかごのいずれかに適用し、当該識別情報によって識別される利用者の呼びを当該スケジュールが適用されるかごである同属性割当かごに割り当てる請求項１に記載のエレベータの群管理装置。
【請求項４】
前記割当属性に基づく前記同属性割当かごへの呼びの割当の際に適用されたスケジュールが当該同属性割当かごに適用されているときに、前記割当部は、当該割当属性が関連付けられる識別情報を前記読取装置が予め定められた時間読み取らない場合に、当該同属性割当かごのスケジュールの適用を解除する請求項３に記載のエレベータの群管理装置。
【請求項５】
前記複数のかごのいずれかに適用されているスケジュールにおいて全てではない複数の属性が指定されているときに、前記割当部は、当該複数の属性のいずれかと前記読取装置が読み取った識別情報に関連付けられる１つ以上の属性のいずれかである優先属性とが一致する場合に、当該識別情報によって識別される利用者の呼びを当該スケジュールが適用されるかごである優先割当かごに割り当てる請求項１に記載のエレベータの群管理装置。
【請求項６】
前記複数のかごのいずれにも適用されていないスケジュールにおいて全てではない複数の属性が指定されているときに、前記割当部は、当該複数の属性のいずれかと前記読取装置が読み取った識別情報に関連付けられる１つ以上の属性のいずれかである優先属性とが一致する場合に、当該スケジュールを前記複数のかごのいずれかに適用し、当該識別情報によって識別される利用者の呼びを当該スケジュールが適用されるかごである優先割当かごに割り当てる請求項１に記載のエレベータの群管理装置。
【請求項７】
前記優先属性に基づいて前記優先割当かごに呼びが割り当てられてから、当該優先割当かごに適用されているスケジュールが指定する属性を切り替えるまで、前記割当部は、前記読取装置が読み取った識別情報に関連付けられる１つ以上の属性のいずれもが当該優先属性に一致しない場合に、当該識別情報によって識別される利用者の呼びを当該優先割当かごに割り当てない請求項５または請求項６に記載のエレベータの群管理装置。
【請求項８】
前記複数のかごのいずれにも適用されていないスケジュールにおいて全ての属性が指定されているときに、前記割当部は、当該スケジュールを前記複数のかごのいずれかに適用し、前記読取装置が読み取った識別情報によって識別される利用者の呼びを当該スケジュールが適用されるかごである任意割当かごに割り当てる請求項１に記載のエレベータの群管理装置。
【請求項９】
複数の利用者を識別する識別情報を読み取る読取装置と、
複数のかごのいずれかに適用可能であり適用されるかごへの呼びの割当が可能な属性の指定を予め定められた時刻によって切り替える複数のスケジュールを記憶し、前記読取装置が読み取る識別情報に関連付けられる１つ以上の属性と前記スケジュールとに基づいて当該識別情報によって識別される利用者の呼びを前記複数のかごのいずれかに割り当てる群管理装置と、
を備えるエレベータシステム。
【請求項１０】
前記読取装置が読み取る識別情報に基づいて、当該識別情報によって識別される利用者の認証を行う認証装置と、
エレベータの乗場に通じる経路に設けられ、前記認証装置が当該利用者を認証する場合に当該利用者の前記経路の通行を可能にし、前記認証装置が当該利用者を認証しない場合に当該利用者の前記経路の通行を可能にしないゲート装置と、
を備える請求項９に記載のエレベータシステム。
【請求項１１】
前記複数のスケジュールのいずれかにおいて１つ以上の属性が指定されているときに、前記認証装置は、当該１つ以上の属性のいずれかと前記読取装置が読み取った識別情報に関連付けられる１つ以上の属性のいずれかとが一致する場合に、当該識別情報によって識別される利用者を認証する請求項１０に記載のエレベータシステム。
【発明の詳細な説明】
【技術分野】
【０００１】
本発明は、エレベータの群管理装置およびエレベータシステムに関する。
【背景技術】
【０００２】
特許文献１にエレベータのシステムの例が記載されている。エレベータシステムは、利用者の識別情報に基づいて認証を行う。エレベータシステムは、複数のかごのいずれかを選択する。エレベータシステムは、認証された利用者の呼びを選択されたかごに割り当てる。エレベータシステムは、利用者の識別情報に基づいて、当該かごに専用運転を行わせる。
【先行技術文献】
【特許文献】
【０００３】
【特許文献１】国際公開第２００６／０４３３２４号
【発明の概要】
【発明が解決しようとする課題】
【０００４】
しかしながら、特許文献１に記載のエレベータシステムは、複数のかごから利用者の属性によらずにかごを選択した後に、当該かごに専用運転を行わせる。ここで、利用者の呼びを登録するときに、複数のかごのいずれもが当該利用者の属性ではない属性について専用運転を行っている場合がある。この場合に、当該利用者は、複数のかごのいずれかが空くまで、当該利用者の属性について専用運転を行っているかごを利用できない。利用者が当該利用者の属性について専用運転を行っていないかごを利用する場合に、当該利用者は、不快な相手と乗り合わせてしまうことがある。【０００５】
本発明は、このような課題を解決するためになされた。本発明の目的は、不快な相手との乗り合わせをより確実に防ぐことができるエレベータの群管理装置およびエレベータシステムを提供することである。
【課題を解決するための手段】
【０００６】
本発明に係るエレベータの群管理装置は、複数のかごのいずれかに適用可能であり適用されるかごへの呼びの割当が可能な属性の指定を予め定められた時刻によって切り替える複数のスケジュールを記憶するスケジュール記憶部と、読取装置が読み取る識別情報に関連付けられる１つ以上の属性とスケジュールとに基づいて当該識別情報によって識別される利用者の呼びを複数のかごのいずれかに割り当てる割当部と、を備える。【０００７】
本発明に係るエレベータシステムは、複数の利用者を識別する識別情報を読み取る読取装置と、複数のかごのいずれかに適用可能であり適用されるかごへの呼びの割当が可能な属性の指定を予め定められた時刻によって切り替える複数のスケジュールを記憶し、読取装置が読み取る識別情報に関連付けられる１つ以上の属性とスケジュールとに基づいて当該識別情報によって識別される利用者の呼びを複数のかごのいずれかに割り当てる群管理装置と、を備える。
【発明の効果】
【０００８】
これらの発明によれば、群管理装置は、利用者の属性と、スケジュールと、に基づいて当該利用者の呼びを複数のかごのいずれかに割り当てる。スケジュールは、複数のかごのいずれかに適用可能である。スケジュールは、適用されるかごへの呼びの割当が可能な属性の指定を、予め定められた時刻によって切り替える。これにより、不快な相手との乗り合わせをより確実に防ぐことができる。
【図面の簡単な説明】
【０００９】
【図１】実施の形態１に係るエレベータシステムの構成図である。
【図２】実施の形態１に係るエレベータシステムの構成図である。
【図３】実施の形態１に係るスケジュールテーブルの例を示す図である。
【図４】実施の形態１に係る群管理装置の動作の例を示すフローチャートである。
【図５】実施の形態１に係る群管理装置の動作の例を示すフローチャートである。
【図６】実施の形態１に係る群管理装置の動作の例を示すフローチャートである。
【図７】実施の形態１に係る群管理装置の動作の例を示すフローチャートである。
【図８】実施の形態１に係る群管理装置の動作の例を示すフローチャートである。
【図９】実施の形態１に係る群管理装置の動作の例を示すフローチャートである。
【図１０】実施の形態１に係る群管理装置の主要部のハードウェア構成を示す図である。
【発明を実施するための形態】
【００１０】
本発明を実施するための形態について添付の図面を参照しながら説明する。各図において、同一または相当する部分には同一の符号を付して、重複する説明は適宜に簡略化または省略する。
【００１１】
実施の形態１．
図１および図２は、実施の形態１に係るエレベータシステムの構成図である。
【００１２】
図１において、エレベータシステム１は、建築物２に適用される。建築物２は、出入口３を備える。建築物２は、複数の階を備える。エレベータシステム１において、図示されない複数の昇降路の各々は、建築物２の各階を貫く。エレベータシステム１において、乗場４は、建築物２の各階に設けられる。エレベータシステム１は、複数のかご５と、１つ以上のセキュリティゲート６と、を備える。
【００１３】
この例において、エレベータシステム１は、５台のかご５を備える。ここでの説明において、５台のかご５の各々が区別される場合に、かご５ａ、かご５ｂ、などのようにａからｅまでの符号が付される。この例において、エレベータシステム１は、５台のセキュリティゲート６を備える。ここでの説明において、５台のセキュリティゲート６の各々が区別される場合に、セキュリティゲート６ａ、セキュリティゲート６ｂ、などのようにａからｅまでの符号が付される。
【００１４】
複数のかご５の各々は、複数の昇降路の各々の内部において昇降しうるように設けられる。
【００１５】
１つ以上のセキュリティゲート６の各々は、建築物２の複数の階の少なくともいずれかに設けられる。１つ以上のセキュリティゲート６の各々は、例えば建築物２の玄関階に設けられる。玄関階は、例えば出入口３が設けられる階である。１つ以上のセキュリティゲート６の各々は、乗場４に通じる経路に設けられる。エレベータシステム１において、１つ以上のセキュリティゲート６が設けられる階の乗場４は、当該経路を通過しない利用者の進入を防ぐように、例えば壁などの構造物によって囲まれる。１つ以上のセキュリティゲート６の各々は、ゲート装置７と、読取装置８と、表示装置９と、を備える。
【００１６】
ここでの説明において、ゲート装置７、読取装置８または表示装置９について１つ以上のセキュリティゲート６のいずれが備えるものであるかが区別される場合に、セキュリティゲート６に付されるａからｅまでの符号と同じ符号が付される。例えば、セキュリティゲート６ｂは、ゲート装置７ｂと、読取装置８ｂと、表示装置９ｂと、を備える。
【００１７】
ゲート装置７は、乗場４に通じる経路の上に設けられる。ゲート装置７は、乗場４に通じる経路の利用者による通行を開閉によって制限する装置である。ゲート装置７は、例えばフラップである。
【００１８】
読取装置８は、ゲート装置７に対して乗場４の反対側に設けられる。読取装置８は、識別情報を読み取る装置である。識別情報は、利用者を識別する情報である。識別情報は、例えばカードに記憶される。カードは、記憶している識別情報によって識別される利用者に所持される。読取装置８は、例えば非接触式のカードリーダである。
【００１９】
表示装置９は、受信する情報を表示する装置である。表示装置９は、例えば液晶パネルである。
【００２０】
図２に示されるように、エレベータシステム１は、ローカルコントローラ１０と、群管理装置１１と、を備える。
【００２１】
ローカルコントローラ１０は、識別情報記憶部１２と、認証部１３と、ゲート制御部１４と、認証情報伝送部１５と、を備える。ローカルコントローラ１０は、認証装置の例である。
【００２２】
識別情報記憶部１２は、複数の利用者の識別情報を記憶する部分である。識別情報記憶部１２は、利用者の１つ以上の属性を当該利用者の識別情報に関連付ける。利用者が有する属性は、例えば「女性」、「身体障がい者」、「ＶＩＰ（Ｖｅｒｙ  Ｉｍｐｏｒｔａｎｔ  Ｐｅｒｓｏｎ）」、「ゲスト」、または「警備員」などである。
【００２３】
利用者が複数の属性を有する場合に、識別情報記憶部１２は、当該複数の属性を当該利用者の識別情報に優先順位を付けて関連付ける。例えば、利用者が属性「ＶＩＰ」および属性「女性」を有する場合に、識別情報記憶部１２は、当該利用者の識別情報に、第１属性として「ＶＩＰ」を関連付ける。識別情報記憶部１２は、当該識別情報に第２属性として「女性」を関連付ける。ここで、第１属性の優先順位は第２属性の優先順位より高い。
【００２４】
利用者が複数の属性を有する場合に、識別情報記憶部１２は、当該複数の属性を当該利用者の識別情報に互いに同一の優先順位を付けて関連付けてもよい。例えば、利用者が属性「ＶＩＰ」および属性「女性」を有する場合に、識別情報記憶部１２は、当該利用者の識別情報に、第１属性として「ＶＩＰ」および「女性」の両方を関連付ける。
【００２５】
認証部１３は、読取装置８が読み取る識別情報に基づいて、当該識別情報に識別される利用者の認証を行う部分である。認証部１３は、識別情報を通信しうるように、１つ以上のセキュリティゲート６の各々の読取装置８に接続される。
【００２６】
ゲート制御部１４は、認証部１３による認証に基づいて、１つ以上のセキュリティゲート６の各々の制御を行う部分である。ゲート制御部１４は、制御信号を通信し得るように、１つ以上のセキュリティゲート６の各々に接続される。
【００２７】
認証情報伝送部１５は、読取装置８が読み取る識別情報に識別情報記憶部１２が関連付ける１つ以上の属性を表すデータを群管理装置１１に送信する部分である。認証情報伝送部１５は、属性を表すデータを通信しうるように、群管理装置１１に接続される。
【００２８】
群管理装置１１は、かご制御部１６と、スケジュール記憶部１７と、割当部１８と、を備える。
【００２９】
かご制御部１６は、複数のかご５の各々の動作を制御する部分である。複数のかご５の各々の動作は、例えば昇降路の内部における昇降を含む。
【００３０】
スケジュール記憶部１７は、スケジュールテーブルを記憶する。スケジュールテーブルは、複数のスケジュールを含む。複数のスケジュールの各々は、複数のかご５のいずれかに適用が可能である。複数のスケジュールの各々は、適用されるかご５への呼びの割当が可能な属性を指定する。複数のスケジュールの各々は、属性の指定を予め定められた時刻によって切り替える。
【００３１】
割当部１８は、認証情報伝送部１５から受信するデータが表す１つ以上の利用者の属性と、スケジュール記憶部１７が記憶するスケジュールテーブルとに基づいて、複数のかご５のいずれかに当該利用者の呼びを割り当てる部分である。
【００３２】
引き続き図２を用いて、エレベータシステム１の動作の概要を説明する。
【００３３】
通常時において、１つ以上のセキュリティゲート６の各々のゲート装置７は、開いていない。このとき、１つ以上のセキュリティゲート６の各々は、出入口３から建築物２に入る者を乗場４に進入させない。
【００３４】
この例において、利用者は、１つ以上のセキュリティゲート６のいずれかであるセキュリティゲート６ｂに接近する。利用者は、所持しているカードによってセキュリティゲート６ｂの読取装置８ｂに識別情報を読み取らせる。読取装置８ｂは、読み取った識別情報をローカルコントローラ１０に送信する。
【００３５】
認証部１３は、読取装置８ｂが読み取った識別情報を取得する。認証部１３は、取得した識別情報に基づいて、利用者を認証する。
【００３６】
認証部１３は、例えば、取得した識別情報に識別情報記憶部１２が関連付ける１つ以上の属性に基づいて認証を行う。認証部１３は、認証を行う時刻において、スケジュール記憶部１７が記憶している複数のスケジュールの各々について指定されている属性のリストを取得する。認証部１３は、当該１つ以上の属性のいずれかが、取得したリストに含まれる属性のいずれかに一致する場合に、当該利用者を認証する。認証部１３は、当該１つ以上の属性のいずれもが、取得したリストに含まれる属性のいずれにも一致しない場合に、当該利用者を認証しない。認証部１３は、取得したリストに属性が含まれない場合に、当該利用者を認証しない。
【００３７】
認証部１３が当該利用者を認証する場合に、認証情報伝送部１５は、当該利用者の１つ以上の属性を表すデータを群管理装置１１に送信する。割当部１８は、受信したデータが表す１つ以上の属性と、スケジュール記憶部１７が記憶するスケジュールテーブルとに基づいて、複数のかご５のいずれかに当該利用者の呼びを割り当てる。
【００３８】
この例において、割当部１８は、例えばかご５ｄに当該利用者の呼びを割り当てる。かご制御部１６は、かご５ｄを玄関階に移動させる。群管理装置１１は、かご５ｄを表す情報を、ローカルコントローラ１０に送信する。ゲート制御部１４は、かご５ｄに呼びが割り当てられたことを表す制御信号と、利用者が認証されたことを表す制御信号とを、セキュリティゲート６ｂに送信する。ゲート制御部１４が送信した制御信号に基づいて、セキュリティゲート６ｂのゲート装置７ｂは開く。セキュリティゲート６ｂの表示装置９ｂは、かご５ｄを表す情報を表示する。
【００３９】
認証された利用者は、セキュリティゲート６ｂが設けられる経路を通過して乗場４に進入する。利用者は、乗場４において、かご５ｄの到着を待機する。その後、利用者は、かご５ｄを利用して目的階に移動する。
【００４０】
一方、認証部１３が当該利用者を認証しない場合に、認証情報伝送部１５は、利用者が認証されなかったことを表す制御信号をセキュリティゲート６ｂに送信する。ゲート制御部１４が送信した制御信号に基づいて、表示装置９ｂは、認証されなかったことを表す情報を表示する。このとき、ゲート装置７ｂは、開かない。認証情報伝送部１５は、群管理装置１１に属性を表すデータを送信しない。割当部１８は、当該利用者の呼びを複数のかご５のいずれにも割り当てない。
【００４１】
続いて、図３を用いて、スケジュール記憶部１７が記憶するスケジュールテーブルを説明する。
図３は、実施の形態１に係るスケジュールテーブルの例を示す図である。
【００４２】
スケジュールＡは、かご５ａに適用される。スケジュールＡにおいて、２２：００から翌日の２：００までの間、単一の属性「警備員」が、呼びの割当が可能な属性として指定される。スケジュールＡにおいて、５：００から９：００までの間、単一の属性「女性」が、呼びの割当が可能な属性として指定される。スケジュールＡにおいて、１６：００から１９：００までの間、単一の属性「女性」が、呼びの割当が可能な属性として指定される。スケジュールＡにおいて、これら以外の時間、全ての属性が、呼びの割当が可能な属性として指定される。
【００４３】
全ての属性は、群管理装置１１が呼びの割当に用いる属性として予め定められた有限な個数の属性の全体である。
【００４４】
スケジュールＢは、かご５ｃに適用される。スケジュールＢにおいて、２２：００から翌日の２：００までの間、呼びの割当が可能な属性は指定されない。この間、かご５ｃは利用不可の状態である。スケジュールＢにおいて、７：００から１４：００までの間、複数の属性「ＶＩＰ」および「ゲスト」が、呼びの割当が可能な属性として指定される。スケジュールＢにおいて、これら以外の時間、全ての属性が、呼びの割当が可能な属性として指定される。
【００４５】
複数のスケジュールのいずれかにおいて複数の属性が指定される場合に、設定順位が当該複数の属性に付けられる。例えばスケジュールＢにおいて複数の属性「ＶＩＰ」および「ゲスト」が指定される場合に、属性「ＶＩＰ」の設定順位は、「ゲスト」の設定順位より高く設定される。
【００４６】
スケジュールＣは、適用されるかご５が設定されていない。スケジュールＣにおいて、２２：００から翌日の２：００までの間、単一の属性「警備員」が、呼びの割当が可能な属性として指定される。スケジュールＣにおいて、８：００から１６：００までの間、単一の属性「身体障がい者」が、呼びの割当が可能な属性として指定される。スケジュールＣにおいて、これら以外の時間、全ての属性が、呼びの割当が可能な属性として指定される。
【００４７】
スケジュールＤは、適用されるかご５が設定されていない。スケジュールＤにおいて、２２：００から翌日の２：００までの間、呼びの割当が可能な属性は指定されない。スケジュールＤにおいて、これ以外の時間、全ての属性が、呼びの割当が可能な属性として指定される。
【００４８】
スケジュールＥは、適用されるかご５が設定されていない。スケジュールＥにおいて、２２：００から翌日の２：００までの間、呼びの割当が可能な属性は指定されない。スケジュールＤにおいて、これ以外の時間、全ての属性が、呼びの割当が可能な属性として指定される。
【００４９】
引き続き図３を用いて、割当部１８による呼びの割当の例を説明する。割当部１８は、スケジュール記憶部１７が記憶するスケジュールテーブルに基づいて、複数の割当方法のいずれかによって呼びを割り当てる。複数の割当方法は、専用割当、優先割当、同属性割当および任意割当を含む。
【００５０】
まず、専用割当の例を説明する。専用割当は、いずれかのかご５に適用されているスケジュールにおいて単一の属性が指定されているときに行われる割当方法である。専用割当かごは、当該スケジュールが適用されるかご５である。専用割当かごは、当該単一の属性についての専用運転を行う。割当部１８は、当該単一の属性を有する利用者の呼びを、専用割当かごに割り当てる。割当部１８は、当該単一の属性を有さない利用者の呼びを、専用割当かごに割り当てない。
【００５１】
この例において、スケジュールＡは、かご５ａに適用されている。かご５ａは、２２：００から翌日の２：００までの間、属性「警備員」についての専用運転を行う。かご５ａは、５：００から９：００までの間、属性「女性」についての専用運転を行う。かご５ａは、１６：００から１９：００までの間、属性「女性」についての専用運転を行う。
【００５２】
例えば、属性「女性」を有する利用者の識別情報を１７：００に読取装置８が読み取った場合に、割当部１８は、当該利用者の呼びをかご５ａに割り当てる。属性「警備員」を有する利用者の識別情報を２３：００に読取装置８が読み取った場合に、割当部１８は、当該利用者の呼びをかご５ａに割り当てる。属性「女性」を有しない利用者の識別情報を６：００に読取装置８が読み取った場合に、割当部１８は、当該利用者の呼びをかご５ａに割り当てない。
【００５３】
次に、優先割当の例を説明する。優先割当は、複数のスケジュールのいずれかにおいて全てではない複数の属性が指定されているときに行われる割当方法である。優先割当かごは、当該スケジュールが適用されるかご５である。当該スケジュールにおいて指定される複数の属性の少なくともいずれかを有する利用者の識別情報を読取装置８が読み取った場合に、割当部１８は、当該利用者の呼びを優先割当かごに割り当てる。その後、優先割当かごは、優先属性についての専用運転を行う。優先属性は、候補属性のうち、最も設定順位の高い属性である。候補属性は、当該利用者の１つ以上の属性と当該スケジュールにおいて指定される複数の属性とにおいて重複する属性のうち、最も優先順位の高い属性である。
【００５４】
この例において、スケジュールＢは、かご５ｃに適用されている。かご５ｃは、７：００から１４：００までの間、属性「ＶＩＰ」または属性「ゲスト」のいずれかについての専用運転を行う。
【００５５】
例えば、属性「ＶＩＰ」または属性「ゲスト」の少なくとも一方を有する利用者の識別情報を１１：００に読取装置８が読み取った場合に、割当部１８は、当該利用者の呼びをかご５ｃに割り当てる。属性「ＶＩＰ」および属性「ゲスト」のいずれも有しない利用者の識別情報を１１：００に読取装置８が読み取った場合に、割当部１８は、当該利用者の呼びをかご５ｃに割り当てない。
【００５６】
その後、かご５ｃは、優先属性についての専用運転を行う。読取装置８が読み取った識別情報に属性「ＶＩＰ」のみが関連付けられる場合に、優先属性は、属性「ＶＩＰ」である。読取装置８が読み取った識別情報に属性「ゲスト」のみが関連付けられる場合に、優先属性は、属性「ゲスト」である。読取装置８が読み取った識別情報に第１属性「ゲスト」および第２属性「ＶＩＰ」の両方が関連付けられる場合に、候補属性は、優先順位の最も高い属性「ゲスト」である。候補属性が単一の属性「ゲスト」であるので、優先属性は、属性「ゲスト」である。読取装置８が読み取った識別情報に第１属性「ゲスト」および第１属性「ＶＩＰ」の両方が関連付けられる場合に、候補属性は、優先順位の最も高い属性「ゲスト」および属性「ＶＩＰ」である。優先属性は、設定順位の最も高い属性「ＶＩＰ」である。
【００５７】
スケジュールが複数のかご５のいずれにも適用されていない場合に、割当部１８は、スケジュールが適用されていないかご５のいずれかに当該スケジュールを適用する。このとき、スケジュールが適用される当該かご５は、優先割当かごである。割当部１８は、優先割当かごに、優先属性を有する利用者の呼びを割り当てる。
【００５８】
次に、同属性割当の例を説明する。同属性割当は、いずれのかご５にも適用されていないスケジュールにおいて単一の属性が指定されているときに行われる割当である。同属性割当において、割当部１８は、スケジュールが適用されていないかご５のいずれかに当該スケジュールを適用する。このとき、スケジュールが適用される当該かご５は、同属性割当かごである。割当部１８は、同属性割当かごに利用者の呼びを割り当てる。その後、同属性割当かごは、当該単一の属性についての専用運転を行う。予め定められた時間当該単一の属性が関連付けられる識別情報を読取装置８が読み取らない場合に、割当部１８は、当該同属性かごへの当該スケジュールの適用を解除する。
【００５９】
この例において、スケジュールＣは、適用されるかご５が設定されていない。スケジュールＣにおいて、時刻９：００に単一の属性「身体障がい者」が指定されている。
【００６０】
例えば、属性「身体障がい者」を有する利用者の識別情報を９：００に読取装置８が読み取った場合に、割当部１８は、スケジュールが適用されていないかご５ｂ、かご５ｄまたはかご５ｅのいずれかにスケジュールＣを適用する。割当部１８は、例えばかご５ｂにスケジュールＣを適用する。このとき、かご５ｂは同属性割当かごである。割当部１８は、かご５ｂに当該利用者の呼びを割り当てる。その後、かご５ｂは、属性「身体障がい者」についての専用運転を行う。かご５ｂにスケジュールＣが適用されている間に、予め定められた時間、属性「身体障がい者」が関連付けられる識別情報を読取装置８が読み取らない場合に、割当部１８は、かご５ｂからスケジュールＣの適用を解除する。
【００６１】
次に、任意割当の例を説明する。任意割当は、複数のスケジュールのいずれかにおいて全ての属性が指定されているときに行われる割当である。任意割当かごは、当該スケジュールが適用されるかご５である。利用者の識別情報を読取装置８が読み取った場合に、割当部１８は、当該利用者の呼びを任意割当かごに割り当てる。その後、任意割当かごは、当該利用者の１つ以上の属性のいずれかについての専用運転を行う。例えば、任意割当かごは、当該利用者の１つ以上の属性のうち最も優先順位の高い属性についての専用運転を行う。
【００６２】
スケジュールがかご５に適用されていない場合に、割当部１８は、スケジュールが適用されていないかご５のいずれかに当該スケジュールを適用する。このとき、スケジュールが適用される当該かご５は、任意割当かごである。割当部１８は、任意割当かごに利用者の呼びを割り当てる。
【００６３】
この例において、スケジュールＡは、かご５ａに適用されている。スケジュールＢは、かご５ｃに適用されている。スケジュールＤおよびスケジュールＥは、適用されるかご５が設定されていない。ここで、スケジュールＣは、同属性割当によって時刻１３：００にかご５ｂに適用されている。スケジュールＡ、スケジュールＤおよびスケジュールＥにおいて、時刻１３：００に全属性が指定されている。スケジュールＢにおいて、時刻１３：００に属性「警備員」が指定されていない。スケジュールＣにおいて、時刻１３：００に属性「警備員」が指定されていない。
【００６４】
例えば、属性「警備員」を有する利用者の識別情報を１３：００に読取装置８が読み取った場合に、割当部１８は、スケジュールＡが適用されているかご５ａ、またはスケジュールが適用されていないかご５ｄもしくはかご５ｅに当該利用者の呼びを割り当てる。割当部１８は、例えばかご５ａに当該利用者の呼びを割り当てる。このとき、かご５ａは任意割当かごである。その後、かご５ａは、属性「警備員」についての専用運転を行う。その後、かご５ａは、スケジュールＡに従って時刻１６：００から専用割当かごとして属性「女性」についての専用運転を行う。
【００６５】
次に、割当部１８が割当を行わない場合の例を説明する。
【００６６】
この例において、スケジュールＡおよびスケジュールＣにおいて、時刻２３：００に属性「ゲスト」が指定されていない。スケジュールＢ、スケジュールＤおよびスケジュールＥにおいて、時刻２３：００に属性が指定されていない。この例において、認証部１３は、利用者を認証する。
【００６７】
例えば、属性「ゲスト」を有する利用者の識別情報を２３：００に読取装置８が読み取った場合に、割当部１８は、当該利用者の呼びを複数のかご５のいずれにも割り当てない。群管理装置１１は、割当に失敗したことを表す情報を、ローカルコントローラ１０に送信する。ゲート制御部１４は、割当に失敗したことを表す制御情報を、当該識別情報を読み取った読取装置８のセキュリティゲート６に送信する。当該セキュリティゲート６のゲート装置７は、開かない。当該セキュリティゲート６の表示装置９は、割当に失敗したことを表す情報を表示する。
【００６８】
続いて、図４から図９を用いて、群管理装置１１の動作を説明する。
図４から図９は、実施の形態１に係る群管理装置の動作の例を示すフローチャートである。
【００６９】
図４および図５において、呼びの割当における群管理装置１１の動作の例が示される。呼びの割当において、群管理装置１１は、複数のかご５の各々から割当処理を行うかご５を１つずつ選択する。選択されたかご５にスケジュールが適用されていない場合に、群管理装置１１は、複数のかご５のいずれにも適用されていないスケジュールからスケジュールを１つずつ選択する。群管理装置１１は、選択されたスケジュールに基づいて選択されたかご５に割当処理を行う。
【００７０】
図４のステップＳ１０１において、割当部１８は、現在の時刻を取得する。その後、群管理装置１１の動作は、ステップＳ１０２に進む。
【００７１】
ステップＳ１０２において、割当部１８は、利用者の１つ以上の属性を表すデータをローカルコントローラ１０から取得する。その後、群管理装置１１の動作は、ステップＳ１０３に進む。
【００７２】
ステップＳ１０３において、割当部１８は、まだ選択されていないかご５があるかを判定する。判定結果がＮｏの場合に、群管理装置１１の動作は、ステップＳ１０４に進む。判定結果がＹｅｓの場合に、群管理装置１１の動作は、ステップＳ１０５に進む。
【００７３】
ステップＳ１０４において、割当部１８は、割当に失敗したことを表す情報を、ローカルコントローラ１０に送信する。その後、群管理装置１１の動作は、終了する。
【００７４】
ステップＳ１０５において、割当部１８は、まだ選択されていないかご５を１つ選択する。その後、群管理装置１１の動作は、ステップＳ１０６に進む。
【００７５】
ステップＳ１０６において、割当部１８は、選択されたかご５にスケジュールが適用されているかを判定する。判定結果がＹｅｓの場合に、群管理装置１１の動作は、ステップＳ１０７に進む。判定結果がＮｏの場合に、群管理装置１１の動作は、図５のステップＳ１１６に進む。
【００７６】
ステップＳ１０７において、割当部１８は、選択されたかご５に適用されているスケジュールにおいて、現在の時刻において属性が指定されていないかを判定する。判定結果がＹｅｓの場合に、群管理装置１１の動作は、ステップＳ１０８に進む。判定結果がＮｏの場合に、群管理装置１１の動作は、ステップＳ１０９に進む。
【００７７】
ステップＳ１０８において、割当部１８は、選択されたかご５に当該利用者の呼びを割り当てない。その後、群管理装置１１の動作は、ステップＳ１０３に進む。
【００７８】
ステップＳ１０９において、割当部１８は、選択されたかご５に適用されているスケジュールにおいて、現在の時刻において単一の属性が指定されているかを判定する。判定結果がＹｅｓの場合に、群管理装置１１の動作は、ステップＳ１１０に進む。判定結果がＮｏの場合に、群管理装置１１の動作は、ステップＳ１１１に進む。
【００７９】
ステップＳ１１０において、割当部１８は、選択されたかご５に当該利用者の呼びの割当処理を専用割当によって行う。その後、群管理装置１１の動作は、ステップＳ１１４に進む。
【００８０】
ステップＳ１１１において、割当部１８は、選択されたかご５に適用されているスケジュールにおいて、現在の時刻において全てではない複数の属性が指定されているかを判定する。判定結果がＹｅｓの場合に、群管理装置１１の動作は、ステップＳ１１２に進む。判定結果がＮｏの場合に、群管理装置１１の動作は、ステップＳ１１３に進む。
【００８１】
ステップＳ１１２において、割当部１８は、選択されたかご５に当該利用者の呼びの割当処理を優先割当によって行う。その後、群管理装置１１の動作は、ステップＳ１１４に進む。
【００８２】
ステップＳ１１３において、割当部１８は、選択されたかご５に当該利用者の呼びの割当処理を任意割当によって行う。その後、群管理装置１１の動作は、ステップＳ１１４に進む。
【００８３】
ステップＳ１１４において、割当部１８は、割当処理によって、当該利用者の呼びが選択されたかご５に割り当てられたかを判定する。判定結果がＮｏの場合に、群管理装置１１の動作は、ステップＳ１０３に進む。判定結果がＹｅｓの場合に、群管理装置１１の動作は、ステップＳ１１５に進む。
【００８４】
ステップＳ１１５において、割当部１８は、選択されたかご５を表す情報をローカルコントローラ１０に送信する。その後、群管理装置１１の動作は、終了する。
【００８５】
図５のステップＳ１１６において、割当部１８は、複数のかご５のいずれにも適用されていないスケジュールのうち、選択されたかご５についてまだ選択されていないスケジュールがあるかを判定する。判定結果がＮｏの場合に、群管理装置１１の動作は、図４のステップＳ１０３に進む。判定結果がＹｅｓの場合に、群管理装置１１の動作は、ステップＳ１１７に進む。
【００８６】
ステップＳ１１７において、割当部１８は、複数のかご５のいずれにも適用されていないスケジュールのうち、選択されたかご５についてまだ選択されていないスケジュールを１つ選択する。その後、群管理装置１１の動作は、ステップＳ１１８に進む。
【００８７】
ステップＳ１１８において、割当部１８は、選択されたスケジュールにおいて、現在の時刻において属性が指定されていないかを判定する。判定結果がＹｅｓの場合に、群管理装置１１の動作は、ステップＳ１１９に進む。判定結果がＮｏの場合に、群管理装置１１の動作は、ステップＳ１２０に進む。
【００８８】
ステップＳ１１９において、割当部１８は、選択されたかご５に選択されたスケジュールを適用しない。その後、群管理装置１１の動作は、ステップＳ１１７に進む。
【００８９】
ステップＳ１２０において、割当部１８は、選択されたスケジュールにおいて、現在の時刻において単一の属性が指定されているかを判定する。判定結果がＹｅｓの場合に、群管理装置１１の動作は、ステップＳ１２１に進む。判定結果がＮｏの場合に、群管理装置１１の動作は、ステップＳ１２２に進む。
【００９０】
ステップＳ１２１において、割当部１８は、選択されたかご５に当該利用者の呼びの割当処理を同属性割当によって行う。その後、群管理装置１１の動作は、ステップＳ１２５に進む。
【００９１】
ステップＳ１２２において、割当部１８は、選択されたスケジュールにおいて、現在の時刻において全てではない複数の属性が指定されているかを判定する。判定結果がＹｅｓの場合に、群管理装置１１の動作は、ステップＳ１２３に進む。判定結果がＮｏの場合に、群管理装置１１の動作は、ステップＳ１２４に進む。
【００９２】
ステップＳ１２３において、割当部１８は、選択されたかご５に当該利用者の呼びの割当処理を優先割当によって行う。その後、群管理装置１１の動作は、ステップＳ１２５に進む。
【００９３】
ステップＳ１２４において、割当部１８は、選択されたかご５に当該利用者の呼びの割当処理を任意割当によって行う。その後、群管理装置１１の動作は、ステップＳ１２５に進む。
【００９４】
ステップＳ１２５において、割当部１８は、割当処理によって、当該利用者の呼びが選択されたかご５に割り当てられたかを判定する。判定結果がＮｏの場合に、群管理装置１１の動作は、ステップＳ１１７に進む。判定結果がＹｅｓの場合に、群管理装置１１の動作は、ステップＳ１２６に進む。
【００９５】
ステップＳ１２６において、割当部１８は、選択されたかご５に選択されたスケジュールを適用する。その後、群管理装置１１の動作は、図４のステップＳ１１５に進む。
【００９６】
同属性割当かごが１つの属性についての専用運転を行っているときに、予め定められた時間、当該属性が関連付けられる識別情報を読取装置８が読み取らない場合に、割当部１８は、例えば割込み処理によって当該同属性かごへのスケジュールの適用を解除する。
【００９７】
図６において、群管理装置１１の専用割当による割当処理の例が示される。
【００９８】
ステップＳ２０１において、割当部１８は、選択されたかご５に適用されているスケジュールにおいて現在時刻において指定されている単一の属性と取得したデータが表す１つ以上の属性のいずれかとが一致するかを判定する。判定結果がＮｏの場合に、群管理装置１１の動作は、ステップＳ２０２に進む。判定結果がＹｅｓの場合に、群管理装置１１の動作は、ステップＳ２０３に進む。
【００９９】
ステップＳ２０２において、割当部１８は、選択されたかご５に当該利用者の呼びを割り当てない。その後、専用割当による割当処理についての群管理装置１１の動作は、終了する。
【０１００】
ステップＳ２０３において、割当部１８は、選択されたかご５に当該利用者の呼びを割り当てる。その後、専用割当による割当処理についての群管理装置１１の動作は、終了する。
【０１０１】
図７において、群管理装置１１の優先割当による割当処理の例が示される。優先割当による割当処理において、割当部１８は、対象スケジュールに基づいて割当処理が行う。選択されたかご５にスケジュールが適用されている場合に、対象スケジュールは、当該スケジュールである。選択されたかご５にスケジュールが適用されていない場合に、対象スケジュールは、選択されたスケジュールである。
【０１０２】
ステップＳ３０１において、割当部１８は、対象スケジュールにおいて現在時刻において指定されている複数の属性のいずれかと取得したデータが表す１つ以上の属性のいずれかとが一致するかを判定する。判定結果がＮｏの場合に、群管理装置１１の動作は、ステップＳ３０２に進む。判定結果がＹｅｓの場合に、群管理装置１１の動作は、ステップＳ３０３に進む。
【０１０３】
ステップＳ３０２において、割当部１８は、選択されたかご５に当該利用者の呼びを割り当てない。その後、優先割当による割当処理についての群管理装置１１の動作は、終了する。
【０１０４】
ステップＳ３０３において、割当部１８は、選択されたかご５に当該利用者の呼びを割り当てる。その後、群管理装置１１の動作は、ステップＳ３０４に進む。
【０１０５】
ステップＳ３０４において、割当部１８は、対象スケジュールにおいて現在時刻において指定されている複数の属性と取得したデータが表す１つ以上の属性とにおいて重複する属性が複数あるかを判定する。判定結果がＮｏの場合に、群管理装置１１の動作は、ステップＳ３０５に進む。判定結果がＹｅｓの場合に、群管理装置１１の動作は、ステップＳ３０６に進む。
【０１０６】
ステップＳ３０５において、群管理装置１１は、選択されたかご５に当該重複する１つの属性についての専用運転を行わせる。その後、優先割当による割当処理についての群管理装置１１の動作は、終了する。
【０１０７】
ステップＳ３０６において、割当部１８は、候補属性が複数あるかを判定する。ここで、候補属性は、当該重複する属性のうち最も優先順位の高い属性である。判定結果がＮｏの場合に、群管理装置１１の動作は、ステップＳ３０７に進む。判定結果がＹｅｓの場合に、群管理装置１１の動作は、ステップＳ３０８に進む。
【０１０８】
ステップＳ３０７において、群管理装置１１は、選択されたかご５に優先属性についての専用運転を行わせる。ここで、優先属性は、当該候補属性である。その後、優先割当による割当処理についての群管理装置１１の動作は、終了する。
【０１０９】
ステップＳ３０８において、群管理装置１１は、選択されたかご５に優先属性についての専用運転を行わせる。ここで、優先属性は、当該候補属性のうち最も設定順位の高い属性である。その後、優先割当による割当処理についての群管理装置１１の動作は、終了する。
【０１１０】
優先割当かごが専用運転をしている間、割当部１８は、当該かご５への割当処理を専用割当によって行う。
【０１１１】
図８において、群管理装置１１の同属性割当による割当処理の例が示される。
【０１１２】
ステップＳ４０１において、割当部１８は、選択されたスケジュールにおいて現在時刻において指定されている単一の属性と取得したデータが表す１つ以上の属性のいずれかとが一致するかを判定する。判定結果がＮｏの場合に、群管理装置１１の動作は、ステップＳ４０２に進む。判定結果がＹｅｓの場合に、群管理装置１１の動作は、ステップＳ４０３に進む。
【０１１３】
ステップＳ４０２において、割当部１８は、選択されたかご５に当該利用者の呼びを割り当てない。その後、同属性割当による割当処理についての群管理装置１１の動作は、終了する。
【０１１４】
ステップＳ４０３において、割当部１８は、選択されたかご５に当該利用者の呼びを割り当てる。群管理装置１１は、選択されたかご５に選択されたスケジュールにおいて指定されている単一の属性についての専用運転を行わせる。その後、同属性割当による割当処理についての群管理装置１１の動作は、終了する。
【０１１５】
同属性割当かごが専用運転をしている間、割当部１８は、当該かご５への割当処理を専用割当によって行う。
【０１１６】
図９において、群管理装置１１の任意割当による割当処理の例が示される。
【０１１７】
ステップＳ５０１において、割当部１８は、選択されたかご５に当該利用者の呼びを割り当てる。その後、群管理装置１１の動作は、ステップＳ５０２に進む。
【０１１８】
ステップＳ５０２において、群管理装置１１は、選択されたかご５に取得したデータが表す１つ以上の属性のいずれかについての専用運転を行わせる。その後、任意割当による割当処理についての群管理装置１１の動作は、終了する。
【０１１９】
任意割当かごが専用運転をしている間、割当部１８は、当該かご５への割当処理を専用割当によって行う。
【０１２０】
以上に説明したように、実施の形態１に係るエレベータシステム１は、読取装置８と、群管理装置１１と、を備える。読取装置８は、識別情報を読み取る。識別情報は、複数の利用者を識別する。群管理装置１１は、スケジュール記憶部１７と、割当部１８と、を備える。スケジュール記憶部１７は、複数のスケジュールを記憶する。複数のスケジュールの各々は、複数のかご５のいずれかに適用可能である。複数のスケジュールの各々は、適用されるかご５への呼びの割当が可能な属性の指定を、予め定められた時刻によって切り替える。割当部１８は、読取装置８が読み取る識別情報に関連付けられる１つ以上の属性と、複数のスケジュールと、に基づいて当該識別情報によって識別される利用者の呼びを複数のかご５のいずれかに割り当てる。
【０１２１】
複数のスケジュールによって、割当部１８による呼びの割当は、利用者の属性に応じて制限される。例えばエレベータシステム１の管理者は、利用者の属性ごとの利用状況に応じて、不快な相手との乗り合わせが発生しうる時間帯に不快な相手との乗り合わせになりうる属性の組合せが避けられるように、複数のスケジュールを設定できる。これにより、エレベータシステム１は、不快な相手との乗り合わせをより確実に防ぐことができる。ここで、利用者の属性ごとの利用状況は、例えば読取装置８が読み取った識別情報をローカルコントローラ１０が記憶することなどによって把握される。
【０１２２】
複数のスケジュールの各々は、複数のかご５のいずれかに適用可能である。これにより、エレベータシステム１は、呼びの割当が可能な属性を制限するかご５を、利用者の属性ごとの利用状況に応じて、必要な時間帯に必要な数だけ確保できる。これにより、利用者は、より快適にエレベータシステム１を利用できる。
【０１２３】
また、複数のかご５のいずれかに適用されているスケジュールにおいて、単一の属性が指定されているとする。このときに、当該単一の属性と、読取装置８が読み取った識別情報に関連付けられる１つ以上の属性のいずれかと、が一致するとする。この場合に、割当部１８は、当該識別情報によって識別される利用者の呼びを、専用割当かごに割り当てる。専用割当かごは、当該スケジュールが適用されるかご５である。
【０１２４】
群管理装置１１は、特定の時間帯において、特定のかご５に、特定の属性についての専用運転をさせる。これにより、当該属性を有する利用者は、当該時間帯において、当該属性について専用運転を行っているかご５を利用できる。これにより、利用者は、不快な相手との乗り合わせを避けることができる。また、群管理装置１１は、当該属性を有する利用者に応じた特定のかご５を確保することができる。特定のかご５は、例えば、かご５の内部の広さ、サービス階、操作盤の種類などのかご５の特性が当該利用者に適したものである。これにより、利用者は、より快適にエレベータシステム１を利用できる。また、当該時間帯において、当該かご５は当該属性を有する利用者のために確保されている。これにより、当該利用者は、専用運転を行っているかご５が空くまで待つ必要がない。
【０１２５】
また、複数のかご５のいずれにも適用されていないスケジュールにおいて、単一の属性が指定されているとする。このときに、当該単一の属性と、割当属性と、が一致するとする。割当属性は、読取装置８が読み取った識別情報に関連付けられる１つ以上の属性のいずれかである。この場合に、割当部１８は、当該スケジュールを複数のかご５のいずれかに適用する。割当部１８は、当該識別情報によって識別される利用者の呼びを、同属性割当かごに割り当てる。同属性割当かごは、当該スケジュールが適用されるかご５である。
【０１２６】
群管理装置１１は、特定の時間帯において、複数のかご５のいずれかに、特定の属性についての専用運転をさせる。これにより、当該属性を有する利用者は、当該時間帯において、当該属性について専用運転を行っているかご５を利用できる。これにより、利用者は、不快な相手との乗り合わせを避けることができる。また、当該時間帯において、複数のかご５のいずれかは、当該属性を有する利用者のために確保されている。これにより、当該利用者は、専用運転を行っているかご５が空くまで待つ必要がない。また、群管理装置１１は、専用運転をさせるかご５を特定しない。これにより、割当部１８によるかご５の割当の自由度が高まる。これにより、群管理装置１１は、エレベータシステム１全体での運行効率を考慮してかご５の割当ができる。
【０１２７】
また、割当属性に基づく同属性割当かごへの呼びの割当の際に適用されたスケジュールが、当該同属性割当かごに適用されているとする。このときに、当該割当属性が関連付けられる識別情報を、読取装置８が、予め定められた時間読み取らないとする。この場合に、割当部１８は、当該同属性割当かごのスケジュールの適用を解除する。
【０１２８】
特定のかご５が特定の属性についての専用運転を行っているときに、予め定められた時間の間当該かご５を利用する利用者がいない場合に、群管理装置１１は、当該かご５への呼びの割当の制限を解除する。これにより、割当部１８によるかご５の割当の自由度が高まる。
【０１２９】
また、複数のかご５のいずれかに適用されているスケジュールにおいて、全てではない複数の属性が指定されているとする。このときに、当該複数の属性のいずれかと、優先属性と、が一致するとする。優先属性は、読取装置８が読み取った識別情報に関連付けられる１つ以上の属性のいずれかである。この場合に、割当部１８は、当該識別情報によって識別される利用者の呼びを、優先割当かごに割り当てる。優先割当かごは、当該スケジュールが適用されるかご５である。
【０１３０】
群管理装置１１は、利用者の呼びを割り当てるまで、専用運転を行う属性を特定しない。例えば利用頻度が低い属性が複数ある場合などに、管理者は、当該利用頻度が低い属性ごとに専用運転を行うかご５を設定しなくてもよい。これにより、割当部１８によるかご５の割当の自由度が高まる。
【０１３１】
また、複数のかご５のいずれにも適用されていないスケジュールにおいて、全てではない複数の属性が指定されているとする。このときに、当該複数の属性のいずれかと、優先属性と、が一致するとする。優先属性は、読取装置８が読み取った識別情報に関連付けられる１つ以上の属性のいずれかである。この場合に、割当部１８は、当該スケジュールを複数のかご５のいずれかに適用する。割当部１８は、当該識別情報によって識別される利用者の呼びを、優先割当かごに割り当てる。優先割当かごは、当該スケジュールが適用されるかご５である。
【０１３２】
群管理装置１１は、利用者の呼びを割り当てるまで、専用運転を行う属性を特定しない。例えば利用頻度が低い属性が複数ある場合などに、管理者は、当該利用頻度が低い属性ごとに専用運転を行うかご５を設定しなくてもよい。また、群管理装置１１は、専用運転をさせるかご５を特定しない。これにより、割当部１８によるかご５の割当の自由度が高まる。
【０１３３】
また、優先属性に基づいて優先割当かごに呼びが割り当てられてから、当該優先割当かごに適用されているスケジュールが指定する属性を切り替えるまで、の期間を考える。当該期間に、読取装置８が読み取った識別情報に関連付けられる１つ以上の属性のいずれもが、当該優先属性に一致しないとする。この場合に、割当部１８は、当該識別情報によって識別される利用者の呼びを、当該優先割当かごに割り当てない。
【０１３４】
群管理装置１１は、利用者の呼びを割り当てた後に、優先割当かごに当該利用者の属性についての専用運転をさせる。これにより、当該属性を有しない利用者の呼びが優先割当かごに割当られない。これにより、利用者は、不快な相手との乗り合わせを避けることができる。
【０１３５】
また、複数のかご５のいずれにも適用されていないスケジュールにおいて、全ての属性が指定されているとする。このときに、割当部１８は、当該スケジュールを複数のかご５のいずれかに適用する。割当部１８は、読取装置８が読み取った識別情報によって識別される利用者の呼びを、任意割当かごに割り当てる。任意割当かごは、当該スケジュールが適用されるかご５である。
【０１３６】
群管理装置１１は、利用者の呼びをかご５に割り当てる際に、当該かご５にスケジュールを適用する。これにより、複数のかご５のいずれかについて、スケジュールに基づかずに割当が行われることを抑制する。これにより、予め定められたスケジュールに基づく呼びの割当が、確実に行われる。
【０１３７】
また、エレベータシステム１は、ローカルコントローラ１０と、ゲート装置７と、を備える。ローカルコントローラ１０は、読取装置８が読み取る識別情報に基づいて、当該識別情報によって識別される利用者の認証を行う。ゲート装置７は、乗場４に通じる経路に設けられる。ローカルコントローラ１０が当該利用者を認証する場合に、ゲート装置７は、当該利用者の乗場４に通じる経路の通行を可能にする。ローカルコントローラ１０が当該利用者を認証しない場合に、ゲート装置７は、当該利用者の乗場４に通じる経路の通行を可能にしない。
【０１３８】
これにより、利用者は、セキュリティの認証とかご５への呼びの登録とを同時にできる。このため、利用者の利便性が高まる。また、エレベータシステム１は、建築物２のセキュリティを高められる。
【０１３９】
また、複数のスケジュールのいずれかにおいて１つ以上の属性が指定されているとする。このときに、当該１つ以上の属性のいずれかと、読取装置８が読み取った識別情報に関連付けられる１つ以上の属性のいずれかと、が一致するとする。この場合に、認証装置は、当該識別情報によって識別される利用者を認証する。
【０１４０】
エレベータシステム１は、複数のスケジュールと、利用者の属性とに基づいて、利用者の認証を行う。これにより、特定の時間帯においてエレベータが利用できる属性を有しない利用者は、当該時間帯において認証されない。このため、エレベータシステム１は、建築物２のセキュリティを高められる。
【０１４１】
なお、識別情報は、例えば指紋、虹彩などの生体認証の情報であってもよい。
【０１４２】
認証部１３は、取得した識別情報そのものに基づいて認証を行ってもよい。認証部１３は、例えば、取得した識別情報を識別情報記憶部１２が記憶している場合に、当該識別情報に識別される利用者を認証してもよい。
【０１４３】
いずれかの属性を有する利用者は、当該属性について専用運転を行っているかご５の他のかご５を利用できてもよい。このとき、当該専用運転を行っているかご５以外への呼びの割当を許容するか否かを、群管理装置１１は、利用者ごとに事前に登録が可能であってもよい。例えば属性「女性」を有する利用者は、かご５ａが属性「女性」について専用運転を行っているときに、かご５ａ以外のかご５への呼びの割当を許容することを事前に登録できてもよい。
【０１４４】
任意割当かごにおいて、呼びを割り当てた利用者の属性についての専用運転を行わなくてもよい。通勤時間帯および昼食時間帯などの混雑する時間帯などにおいて、エレベータシステム１の利用効率を高めることができる。
【０１４５】
割当部１８は、割当処理において、利用者の属性が選択されたかご５への呼びの割当が可能な属性であるときに、直ちに割当を行わなくてもよい。このとき、割当部１８は、当該かご５を候補かごとして抽出する。割当部１８は、抽出された複数の候補かごから、エレベータシステム１の利用効率または当該利用者の待ち時間に基づいて、いずれかのかご５に呼びを割り当ててもよい。
【０１４６】
続いて、図９を用いて群管理装置１１のハードウェア構成の例について説明する。
図９は、実施の形態１に係る群管理装置１１の主要部のハードウェア構成を示す図である。
【０１４７】
群管理装置１１の各機能は、処理回路により実現し得る。処理回路は、少なくとも１つのプロセッサ１１ｂと少なくとも１つのメモリ１１ｃとを備える。処理回路は、プロセッサ１１ｂおよびメモリ１１ｃと共に、或いはそれらの代用として、少なくとも１つの専用のハードウェア１１ａを備えてもよい。
【０１４８】
処理回路がプロセッサ１１ｂとメモリ１１ｃとを備える場合、群管理装置１１の各機能は、ソフトウェア、ファームウェア、またはソフトウェアとファームウェアとの組み合わせで実現される。ソフトウェアおよびファームウェアの少なくとも一方は、プログラムとして記述される。そのプログラムはメモリ１１ｃに格納される。プロセッサ１１ｂは、メモリ１１ｃに記憶されたプログラムを読み出して実行することにより、群管理装置１１の各機能を実現する。
【０１４９】
プロセッサ１１ｂは、ＣＰＵ（Ｃｅｎｔｒａｌ  Ｐｒｏｃｅｓｓｉｎｇ  Ｕｎｉｔ）、処理装置、演算装置、マイクロプロセッサ、マイクロコンピュータ、ＤＳＰともいう。メモリ１１ｃは、例えば、ＲＡＭ、ＲＯＭ、フラッシュメモリ、ＥＰＲＯＭ、ＥＥＰＲＯＭ等の、不揮発性または揮発性の半導体メモリ、磁気ディスク、フレキシブルディスク、光ディスク、コンパクトディスク、ミニディスク、ＤＶＤ等により構成される。
【０１５０】
処理回路が専用のハードウェア１１ａを備える場合、処理回路は、例えば、単一回路、複合回路、プログラム化したプロセッサ、並列プログラム化したプロセッサ、ＡＳＩＣ、ＦＰＧＡ、またはこれらの組み合わせで実現される。
【０１５１】
群管理装置１１の各機能は、それぞれ処理回路で実現することができる。あるいは、群管理装置１１の各機能は、まとめて処理回路で実現することもできる。群管理装置１１の各機能について、一部を専用のハードウェア１１ａで実現し、他部をソフトウェアまたはファームウェアで実現してもよい。このように、処理回路は、ハードウェア１１ａ、ソフトウェア、ファームウェア、またはこれらの組み合わせで群管理装置１１の各機能を実現する。
【産業上の利用可能性】
【０１５２】
本発明に係る群管理装置は、エレベータシステムに適用できる。本発明に係るエレベータシステムは、複数の階を有する建築物に適用できる。
【符号の説明】
【０１５３】
１  エレベータシステム、  ２  建築物、  ３  出入口、  ４  乗場、  ５、５ａ、５ｂ、５ｃ、５ｄ、５ｅ  かご、  ６、６ａ、６ｂ、６ｃ、６ｄ、６ｅ  セキュリティゲート、  ７、７ａ、７ｂ、７ｃ、７ｄ、７ｅ  ゲート装置、  ８、８ａ、８ｂ、８ｃ、８ｄ、８ｅ  読取装置、  ９、９ａ、９ｂ、９ｃ、９ｄ、９ｅ  表示装置、  １０  ローカルコントローラ、  １１  群管理装置、  １１ａ  ハードウェア、  １１ｂ  プロセッサ、  １１ｃ  メモリ、  １２  識別情報記憶部、  １３  認証部、  １４  ゲート制御部、  １５  認証情報伝送部、  １６  かご制御部、  １７  スケジュール記憶部、  １８  割当部
【図１】
2019234849.tif 000003
【図２】
2019234849.tif 000004
【図３】
2019234849.tif 000005
【図４】
2019234849.tif 000006
【図５】
2019234849.tif 000007
【図６】
2019234849.tif 000008
【図７】
2019234849.tif 000009
【図８】
2019234849.tif 000010
【図９】
2019234849.tif 000011
【図１０】
2019234849.tif 000012
【手続補正書】
【提出日】令和1年11月12日(2019.11.12)
【手続補正１】
【補正対象書類名】特許請求の範囲
【補正対象項目名】全文
【補正方法】変更
【補正の内容】
【特許請求の範囲】
【請求項１】
複数のかごのいずれかに適用可能であり適用されるかごへの呼びの割当が可能な属性の指定を予め定められた時刻によって切り替える複数のスケジュールを記憶するスケジュール記憶部と、
読取装置が読み取る識別情報に関連付けられる１つ以上の属性と前記スケジュールとに基づいて当該識別情報によって識別される利用者の呼びを前記複数のかごのいずれかに割り当てる割当部と、
を備え、
前記複数のかごのいずれにも適用されていないスケジュールにおいて単一の属性が指定されているときに、前記割当部は、当該単一の属性と前記読取装置が読み取った識別情報に関連付けられる１つ以上の属性のいずれかである割当属性とが一致する場合に、当該スケジュールを前記複数のかごのいずれかに適用し、当該識別情報によって識別される利用者の呼びを当該スケジュールが適用されるかごである同属性割当かごに割り当てる
エレベータの群管理装置。
【請求項２】
複数のかごのいずれかに適用可能であり適用されるかごへの呼びの割当が可能な属性の指定を予め定められた時刻によって切り替える複数のスケジュールを記憶するスケジュール記憶部と、
読取装置が読み取る識別情報に関連付けられる１つ以上の属性と前記スケジュールとに基づいて当該識別情報によって識別される利用者の呼びを前記複数のかごのいずれかに割り当てる割当部と、
を備え、
前記複数のかごのいずれかに適用されているスケジュールにおいて全てではない複数の属性が指定されているときに、前記割当部は、当該複数の属性のいずれかと前記読取装置が読み取った識別情報に関連付けられる１つ以上の属性のいずれかである優先属性とが一致する場合に、当該識別情報によって識別される利用者の呼びを当該スケジュールが適用されるかごである優先割当かごに割り当てる
エレベータの群管理装置。
【請求項３】
複数のかごのいずれかに適用可能であり適用されるかごへの呼びの割当が可能な属性の指定を予め定められた時刻によって切り替える複数のスケジュールを記憶するスケジュール記憶部と、
読取装置が読み取る識別情報に関連付けられる１つ以上の属性と前記スケジュールとに基づいて当該識別情報によって識別される利用者の呼びを前記複数のかごのいずれかに割り当てる割当部と、
を備え、
前記複数のかごのいずれにも適用されていないスケジュールにおいて全てではない複数の属性が指定されているときに、前記割当部は、当該複数の属性のいずれかと前記読取装置が読み取った識別情報に関連付けられる１つ以上の属性のいずれかである優先属性とが一致する場合に、当該スケジュールを前記複数のかごのいずれかに適用し、当該識別情報によって識別される利用者の呼びを当該スケジュールが適用されるかごである優先割当かごに割り当てる
エレベータの群管理装置。
【請求項４】
複数のかごのいずれかに適用可能であり適用されるかごへの呼びの割当が可能な属性の指定を予め定められた時刻によって切り替える複数のスケジュールを記憶するスケジュール記憶部と、
読取装置が読み取る識別情報に関連付けられる１つ以上の属性と前記スケジュールとに基づいて当該識別情報によって識別される利用者の呼びを前記複数のかごのいずれかに割り当てる割当部と、
を備え、
前記複数のかごのいずれにも適用されていないスケジュールにおいて全ての属性が指定されているときに、前記割当部は、当該スケジュールを前記複数のかごのいずれかに適用し、前記読取装置が読み取った識別情報によって識別される利用者の呼びを当該スケジュールが適用されるかごである任意割当かごに割り当てる
エレベータの群管理装置。
【請求項５】
複数のかごのいずれかに適用可能であり適用されるかごへの呼びの割当が可能な属性の指定を予め定められた時刻によって切り替える複数のスケジュールを記憶するスケジュール記憶部と、
読取装置が読み取る識別情報に関連付けられる１つ以上の属性と前記スケジュールとに基づいて当該識別情報によって識別される利用者の呼びを前記複数のかごのいずれかに割り当てる割当部と、
を備え、
前記読取装置が前記識別情報を読み取った時刻に、前記割当部は、前記複数のスケジュールのうち当該時刻において属性が指定されていないスケジュールを前記複数のかごのいずれにも適用せず、前記複数のスケジュールのうち当該時刻において１つ以上の属性が指定されているスケジュールを前記複数のかごのいずれかに適用する
エレベータの群管理装置。
【請求項６】
前記複数のかごのいずれかに適用されているスケジュールにおいて単一の属性が指定されているときに、前記割当部は、当該単一の属性と前記読取装置が読み取った識別情報に関連付けられる１つ以上の属性のいずれかとが一致する場合に、当該識別情報によって識別される利用者の呼びを当該スケジュールが適用されるかごである専用割当かごに割り当てる請求項５に記載のエレベータの群管理装置。
【請求項７】
前記複数のかごのいずれにも適用されていないスケジュールにおいて単一の属性が指定されているときに、前記割当部は、当該単一の属性と前記読取装置が読み取った識別情報に関連付けられる１つ以上の属性のいずれかである割当属性とが一致する場合に、当該スケジュールを前記複数のかごのいずれかに適用し、当該識別情報によって識別される利用者の呼びを当該スケジュールが適用されるかごである同属性割当かごに割り当てる請求項５に記載のエレベータの群管理装置。
【請求項８】
前記割当属性に基づく前記同属性割当かごへの呼びの割当の際に適用されたスケジュールが当該同属性割当かごに適用されているときに、前記割当部は、当該割当属性が関連付けられる識別情報を前記読取装置が予め定められた時間読み取らない場合に、当該同属性割当かごのスケジュールの適用を解除する請求項１または請求項７に記載のエレベータの群管理装置。
【請求項９】
前記複数のかごのいずれかに適用されているスケジュールにおいて全てではない複数の属性が指定されているときに、前記割当部は、当該複数の属性のいずれかと前記読取装置が読み取った識別情報に関連付けられる１つ以上の属性のいずれかである優先属性とが一致する場合に、当該識別情報によって識別される利用者の呼びを当該スケジュールが適用されるかごである優先割当かごに割り当てる請求項５に記載のエレベータの群管理装置。
【請求項１０】
前記複数のかごのいずれにも適用されていないスケジュールにおいて全てではない複数の属性が指定されているときに、前記割当部は、当該複数の属性のいずれかと前記読取装置が読み取った識別情報に関連付けられる１つ以上の属性のいずれかである優先属性とが一致する場合に、当該スケジュールを前記複数のかごのいずれかに適用し、当該識別情報によって識別される利用者の呼びを当該スケジュールが適用されるかごである優先割当かごに割り当てる請求項５に記載のエレベータの群管理装置。
【請求項１１】
前記優先属性に基づいて前記優先割当かごに呼びが割り当てられてから、当該優先割当かごに適用されているスケジュールが指定する属性を切り替えるまで、前記割当部は、前記読取装置が読み取った識別情報に関連付けられる１つ以上の属性のいずれもが当該優先属性に一致しない場合に、当該識別情報によって識別される利用者の呼びを当該優先割当かごに割り当てない請求項２、請求項３、請求項９または請求項１０のいずれか一項に記載のエレベータの群管理装置。
【請求項１２】
前記複数のかごのいずれにも適用されていないスケジュールにおいて全ての属性が指定されているときに、前記割当部は、当該スケジュールを前記複数のかごのいずれかに適用し、前記読取装置が読み取った識別情報によって識別される利用者の呼びを当該スケジュールが適用されるかごである任意割当かごに割り当てる請求項５に記載のエレベータの群管理装置。
【請求項１３】
複数の利用者を識別する識別情報を読み取る読取装置と、
請求項１から請求項１２のいずれか一項に記載の群管理装置と、
を備えるエレベータシステム。
【請求項１４】
前記読取装置が読み取る識別情報に基づいて、当該識別情報によって識別される利用者の認証を行う認証装置と、
エレベータの乗場に通じる経路に設けられ、前記認証装置が当該利用者を認証する場合に当該利用者の前記経路の通行を可能にし、前記認証装置が当該利用者を認証しない場合に当該利用者の前記経路の通行を可能にしないゲート装置と、
を備える請求項１３に記載のエレベータシステム。
【請求項１５】
前記複数のスケジュールのいずれかにおいて１つ以上の属性が指定されているときに、前記認証装置は、当該１つ以上の属性のいずれかと前記読取装置が読み取った識別情報に関連付けられる１つ以上の属性のいずれかとが一致する場合に、当該識別情報によって識別される利用者を認証する請求項１４に記載のエレベータシステム。
【手続補正２】
【補正対象書類名】明細書
【補正対象項目名】０００６
【補正方法】変更
【補正の内容】
【０００６】
本発明に係るエレベータの群管理装置は、複数のかごのいずれかに適用可能であり適用されるかごへの呼びの割当が可能な属性の指定を予め定められた時刻によって切り替える複数のスケジュールを記憶するスケジュール記憶部と、読取装置が読み取る識別情報に関連付けられる１つ以上の属性とスケジュールとに基づいて当該識別情報によって識別される利用者の呼びを複数のかごのいずれかに割り当てる割当部と、を備え、複数のかごのいずれにも適用されていないスケジュールにおいて単一の属性が指定されているときに、割当部は、当該単一の属性と読取装置が読み取った識別情報に関連付けられる１つ以上の属性のいずれかである割当属性とが一致する場合に、当該スケジュールを複数のかごのいずれかに適用し、当該識別情報によって識別される利用者の呼びを当該スケジュールが適用されるかごである同属性割当かごに割り当てる。
本発明に係るエレベータの群管理装置は、複数のかごのいずれかに適用可能であり適用されるかごへの呼びの割当が可能な属性の指定を予め定められた時刻によって切り替える複数のスケジュールを記憶するスケジュール記憶部と、読取装置が読み取る識別情報に関連付けられる１つ以上の属性とスケジュールとに基づいて当該識別情報によって識別される利用者の呼びを複数のかごのいずれかに割り当てる割当部と、を備え、複数のかごのいずれかに適用されているスケジュールにおいて全てではない複数の属性が指定されているときに、割当部は、当該複数の属性のいずれかと読取装置が読み取った識別情報に関連付けられる１つ以上の属性のいずれかである優先属性とが一致する場合に、当該識別情報によって識別される利用者の呼びを当該スケジュールが適用されるかごである優先割当かごに割り当てる。
本発明に係るエレベータの群管理装置は、複数のかごのいずれかに適用可能であり適用されるかごへの呼びの割当が可能な属性の指定を予め定められた時刻によって切り替える複数のスケジュールを記憶するスケジュール記憶部と、読取装置が読み取る識別情報に関連付けられる１つ以上の属性とスケジュールとに基づいて当該識別情報によって識別される利用者の呼びを複数のかごのいずれかに割り当てる割当部と、を備え、複数のかごのいずれにも適用されていないスケジュールにおいて全てではない複数の属性が指定されているときに、割当部は、当該複数の属性のいずれかと読取装置が読み取った識別情報に関連付けられる１つ以上の属性のいずれかである優先属性とが一致する場合に、当該スケジュールを複数のかごのいずれかに適用し、当該識別情報によって識別される利用者の呼びを当該スケジュールが適用されるかごである優先割当かごに割り当てる。
本発明に係るエレベータの群管理装置は、複数のかごのいずれかに適用可能であり適用されるかごへの呼びの割当が可能な属性の指定を予め定められた時刻によって切り替える複数のスケジュールを記憶するスケジュール記憶部と、読取装置が読み取る識別情報に関連付けられる１つ以上の属性とスケジュールとに基づいて当該識別情報によって識別される利用者の呼びを複数のかごのいずれかに割り当てる割当部と、を備え、複数のかごのいずれにも適用されていないスケジュールにおいて全ての属性が指定されているときに、割当部は、当該スケジュールを複数のかごのいずれかに適用し、読取装置が読み取った識別情報によって識別される利用者の呼びを当該スケジュールが適用されるかごである任意割当かごに割り当てる。
本発明に係るエレベータの群管理装置は、複数のかごのいずれかに適用可能であり適用されるかごへの呼びの割当が可能な属性の指定を予め定められた時刻によって切り替える複数のスケジュールを記憶するスケジュール記憶部と、読取装置が読み取る識別情報に関連付けられる１つ以上の属性とスケジュールとに基づいて当該識別情報によって識別される利用者の呼びを複数のかごのいずれかに割り当てる割当部と、を備え、読取装置が識別情報を読み取った時刻に、割当部は、複数のスケジュールのうち当該時刻において属性が指定されていないスケジュールを複数のかごのいずれにも適用せず、複数のスケジュールのうち当該時刻において１つ以上の属性が指定されているスケジュールを複数のかごのいずれかに適用する。
【手続補正３】
【補正対象書類名】明細書
【補正対象項目名】０００７
【補正方法】変更
【補正の内容】
【０００７】
本発明に係るエレベータシステムは、複数の利用者を識別する識別情報を読み取る読取装置と、上記の群管理装置と、を備える。
【国際調査報告】
2019234849.tif 000013
2019234849.tif 000014
2019234849.tif 000015
2019234849.tif 000016